(57)【要約】【課題】  多機能であると共に、操作性のよいプラント運転支援装置を提供する。【解決手段】  多種多様な多数の機器を有するプラントの監視、制御を支援するプラント運転支援装置において、プラントのマニュアル１４の所定箇所にＲＦタグ１２（１２ａ、１２ｂ、・・・）を各々埋め込み、ネットワーク１に接続されたマルチディスプレイ１１と、マルチディスプレイ１１に接続され、ＲＦタグ１２の情報を読み取るリーダ装置１３と、プラントの運転支援の情報を記録する記憶装置２と、記憶装置２からの情報を、ネットワーク１を介してマルチディスプレイ１１に提供するサーバ３とを用いて、リーダ装置１３に読み取られたＲＦタグ１２の情報に応じて、記憶装置２から適宜な情報を呼び出し、マルチディスプレイ１１に表示する。【選択図】  図２
2005301546.tif 000002
【特許請求の範囲】
【請求項１】
多数の機器を有するプラントの監視、制御を支援するプラント運転支援装置であって、
プラントの説明書の所定箇所に各々配置された情報タグと、
ネットワークに接続された端末と、
前記端末に接続され、前記情報タグの情報にアクセスするアクセス装置と、
プラントの運転支援に用いる情報を記録する記憶装置と、
前記記憶装置からの情報を、ネットワークを介して前記端末に提供するサーバとを有し、
前記アクセス装置に読み取られた前記情報タグの情報に応じて、前記記憶装置から適宜な情報を呼び出し、前記端末に表示することを特徴とするプラント運転支援装置。
【請求項２】
多数の機器を有するプラントの監視、制御を支援するプラント運転支援装置であって、
前記機器各々に設けられた情報タグと、
有線又は無線によりネットワークに接続された携帯端末と、
前記携帯端末に接続され、前記情報タグの情報にアクセスするアクセス装置と、
プラントの運転支援に用いる情報を記録する記憶装置と、
前記記憶装置からの情報を、ネットワークを介して前記携帯端末に提供するサーバとを有し、
前記アクセス装置に読み取られた前記情報タグの情報に応じて、前記記憶装置から適宜な情報を呼び出し、前記携帯端末に表示することを特徴とするプラント運転支援装置。
【請求項３】
請求項１又は請求項２に記載のプラント運転支援装置において、
前記情報タグをＲＦタグとし、前記アクセス装置をＲＦＩＤ技術により前記ＲＦタグを読み取るリーダ装置とすることを特徴とするプラント運転支援装置。
【請求項４】
請求項１又は請求項２に記載のプラント運転支援装置において、
前記情報タグをＲＦタグとし、前記アクセス装置をＲＦＩＤ技術により前記ＲＦタグを読み取ると共に書き換えするリーダライタ装置とすることを特徴とするプラント運転支援装置。
【請求項５】
請求項１又は請求項２に記載のプラント運転支援装置において、
前記情報タグを１次元又は２次元のコードとし、前記アクセス装置を前記１次元又は２次元のコードを読み取るコードリーダ装置とすることを特徴とするプラント運転支援装置。
【請求項６】
請求項１乃至請求項５のいずれかに記載のプラント運転支援装置において、
前記サーバは、任意の操作画面をメニューに登録するメニュー登録編集手段を備えることを特徴とするプラント運転支援装置。
【請求項７】
請求項１乃至請求項６のいずれかに記載のプラント運転支援装置において、
前記サーバは、ユーザ毎に、操作画面の使用履歴を学習する使用履歴学習手段を備えることを特徴とするプラント運転支援装置。
【請求項８】
請求項１乃至請求項７のいずれかに記載のプラント運転支援装置において、
前記サーバは、前記機器各々の履歴を記録、表示する機器履歴機能を備えることを特徴とするプラント運転支援装置。
【請求項９】
請求項１乃至請求項８のいずれかに記載のプラント運転支援装置において、
前記サーバは、前記機器各々の故障診断を行う故障診断機能を備えることを特徴とするプラント運転支援装置。
【発明の詳細な説明】
【技術分野】
【０００１】
本発明は、プラントの機器等をオペレータ等が監視、制御する際に、その運転の支援を行うプラント運転支援装置に関する。
【背景技術】
【０００２】
プラントは、多種多様な多数の機器、配管、弁等から構成され、これらの機器を監視、制御することで、所望のものの生産等を行っている。例えば、化学プラントでは、原材料を加工したり、送出したりするために、多種多様な多数の機器、配管、弁等を用い、これらを制御して、所望の化学製品を製造している。又、河川には多種多様な河川管理施設（排水機、水路、水門等）が多数設置されており、これらの河川管理施設を１つのプラントとみなし、遠隔地から一括してリアルタイムに監視し、各々の河川管理施設を適切に制御することで、洪水等を防止するようにしている。
【０００３】
このようなプラントは、多数の機器等から構成されているため、オペレータや作業者等にとって、運転の習熟、機器の管理、故障時の作業等は容易なものではなかった。例えば、多数の機器等を一括して監視、制御するためのプラントの運転装置には、各機器に応じた操作機能が多数設けられており、憶えるべき操作機能が多く、その習熟を困難なものとしていた。又、多数の機器が互いに連動してプラントの動作を行うため、故障時にその原因を特定することも困難であった。そこで、オペレータや作業者等が容易に運転操作や保守修理作業等をできるように、その運転操作や保守修理作業等を支援する運転支援装置が提案されている。例えば、プラントの故障時に、故障木データや系統図データを用い、診断経緯や故障箇所を表示して、作業者の修理作業を支援するもの（特許文献１参照）、プラントが有する多数の手動弁を点検、管理する際に、作業者の点検、管理の負担を軽減するもの（特許文献２参照）等が提案されている。
【０００４】
【特許文献１】特開平１−２７４２０９号公報
【特許文献２】特開２００１−２２７６７７号公報
【発明の開示】
【発明が解決しようとする課題】
【０００５】
上述したような運転支援装置は、オペレータや作業者等の細かい要求にも対応して運転支援できるように、より多くの機能が追加されて、表面的には機能が充実して、便利になったように見える。ところが、実際にはほとんど使われない機能があるにもかかわらず、頻繁に使用する機能もほとんど使用しない機能も、同等の操作を行わないと、その機能を呼び出すことができず、多機能であるが故に使い勝手が悪いものとなっていた。又、多機能化のため、機能選択のためのメニューの構成が階層的となり、ある機能から別の機能へ移動する場合、一旦、トップメニューに戻ってから、所望の機能を選択する必要があり、その選択操作が煩雑で効率が悪いものであった。このように、従来の運転支援装置は、多機能であるが故にその操作性が悪かった。
【０００６】
本発明は上記課題に鑑みなされたもので、多機能であると共に、操作性のよいプラント運転支援装置を提供することを目的とする。
【課題を解決するための手段】
【０００７】
上記課題を解決する本発明の請求項１に係るプラント運転支援装置は、
多種多様な多数の機器を有するプラントの監視、制御を支援するプラント運転支援装置であって、
プラントの説明書の所定箇所に各々配置された情報タグと、
ネットワークに接続された端末と、
前記端末に接続され、前記情報タグの情報にアクセスするアクセス装置と、
プラントの運転支援に用いる情報を記録する記憶装置と、
前記記憶装置からの情報を、ネットワークを介して前記端末に提供するサーバとを有し、
前記アクセス装置に読み取られた前記情報タグの情報に応じて、前記記憶装置から適宜な情報を呼び出し、前記端末に表示することを特徴とする。
【０００８】
上記課題を解決する本発明の請求項２に係るプラント運転支援装置は、
多種多様な多数の機器を有するプラントの監視、制御を支援するプラント運転支援装置であって、
前記機器各々に設けられた情報タグと、
有線又は無線によりネットワークに接続された携帯端末と、
前記携帯端末に接続され、前記情報タグの情報にアクセスするアクセス装置と、
プラントの運転支援に用いる情報を記録する記憶装置と、
前記記憶装置からの情報を、ネットワークを介して前記携帯端末に提供するサーバとを有し、
前記アクセス装置に読み取られた前記情報タグの情報に応じて、前記記憶装置から適宜な情報を呼び出し、前記携帯端末に表示することを特徴とする。
【０００９】
上記課題を解決する本発明の請求項３に係るプラント運転支援装置は、
上記プラント運転支援装置において、
前記情報タグをＲＦタグとし、前記アクセス装置をＲＦＩＤ技術により前記ＲＦタグを読み取るリーダ装置とすることを特徴とする。
【００１０】
上記課題を解決する本発明の請求項４に係るプラント運転支援装置は、
上記プラント運転支援装置において、
前記情報タグをＲＦタグとし、前記アクセス装置をＲＦＩＤ技術により前記ＲＦタグを読み取ると共に書き換えするリーダライタ装置とすることを特徴とする。
ＲＦタグは、ＲＦＩＤ技術によるアクセス装置を近接させるだけで、その情報を読み取ることが可能であり、説明書にＲＦタグを配置する場合、ＲＦタグを説明書の所定箇所に埋め込み、ＲＦタグが配置された箇所の操作画面を直接呼び出すような情報をＲＦタグに記録しておく。又、機器にＲＦタグを設ける場合には、機器の機器コードを記録すると共に、機器の設定等を記録するようにしておいてもよい。
【００１１】
上記課題を解決する本発明の請求項５に係るプラント運転支援装置は、
上記プラント運転支援装置において、
前記情報タグを１次元又は２次元のコードとし、前記アクセス装置を前記１次元又は２次元のコードを読み取るコードリーダ装置とすることを特徴とする。
【００１２】
上記課題を解決する本発明の請求項６に係るプラント運転支援装置は、
上記プラント運転支援装置において、
前記サーバは、任意の操作画面をメニューに登録するメニュー登録編集手段を備えることを特徴とする。
【００１３】
上記課題を解決する本発明の請求項７に係るプラント運転支援装置は、
上記プラント運転支援装置において、
前記サーバは、ユーザ毎に、操作画面の使用履歴を学習する使用履歴学習手段を備えることを特徴とする。
【００１４】
上記課題を解決する本発明の請求項８に係るプラント運転支援装置は、
上記プラント運転支援装置において、
前記サーバは、前記機器各々の履歴を記録、表示する機器履歴機能を備えることを特徴とする。
【００１５】
上記課題を解決する本発明の請求項９に係るプラント運転支援装置は、
上記プラント運転支援装置において、
前記サーバは、前記機器各々の故障診断を行う故障診断機能を備えることを特徴とする。
【発明の効果】
【００１６】
本発明によれば、操作に十分慣れていないオペレータや作業者等であっても、説明書に配置された情報タグや各機器に設けられた情報タグの情報に基づいて、所望の操作画面や情報を直接呼び出せるので、所望の操作画面や情報に容易に到達することができ、多機能性を犠牲にすることなく、オペレータや作業者等の操作性を向上させることができる。又、操作性が向上することで、操作ミス等を減少させ、各機器を確実に制御することができ、プラント運用の信頼性も向上させることができる。
【発明を実施するための最良の形態】
【００１７】
以下、図１〜図３を参照して、本発明に係るプラント運転支援装置の実施形態を詳細に説明する。
【実施例１】
【００１８】
図１は、本発明に係るプラント運転支援装置の実施形態の一例を示す図である。
なお、本発明では、他の実施例も含めて、プラント運転支援装置の対象プラントとして、河川管理施設を用いて説明を行うが、本発明に係るプラント運転支援装置の対象プラントは、河川管理施設に限定されるものではなく、様々なプラントに適用可能なものである。
【００１９】
河川には、洪水等の水害を防止するために、多種多様な河川管理施設（例えば、排水機、水路、水門等）が多数設置されており、これらの河川管理施設を有するプラントを、遠隔地から一括してリアルタイムに監視、制御できるように、遠隔監視制御装置を設けている。このような遠隔監視制御装置には、多数の機器の監視、制御をオペレータ等が行い易いように、その運転を支援する運転支援装置が更に設けられている。
【００２０】
本実施例のプラント運転支援装置は、具体的には、情報の伝達を行うギガビットイーサネット１（イーサネットは登録商標である。以降、ネットワークと呼ぶ。）と、ネットワーク１に接続され、種々の情報が蓄積された記憶装置２と、ネットワーク１に接続され、遠隔地の複数の監視、制御対象機器からの情報を収集し、記憶装置２へ蓄積すると共に、複数の監視、制御対象機器への操作命令を送信するサーバ３とを有する。又、サーバ３は、記憶装置２に蓄積された情報を、ネットワーク１を介して、ネットワーク１に接続された端末へ提供する機能も有する。なお、図１では、記憶装置２とサーバ３とがネットワーク１を介して接続された構成であるが、記憶装置２とサーバ３とを直接接続し、互いに情報の送受信が可能なように構成してもよい。
【００２１】
ネットワーク１は、後述するＣＣＴＶ１６による動画情報を含めて、種々の情報の伝達を高速かつ多量に行うため、Ｇｂｉｔ級の通信容量を持つ光ファイバ等から構成される。なお、伝達情報のセキュリティを考慮した場合、ネットワーク１は、インターネット等のネットワークからは独立して設置されたものが望ましい。又、オペレータや作業者に、セキュリティ用の情報を有するＲＦタグ（後述の実施例２、３等参照）を持たせ、ＲＦタグの情報をサーバ３で認証して、セキュリティを保つようにしてもよい。
【００２２】
記憶装置２では、例えば、ストレージサーバと呼ばれるものが用いられ、種々の情報を蓄積すると共に、これらの情報によりデータベースを構築する。データベースを構築することにより、ネットワーク１上に接続される端末間で情報の共有化が可能となり、又、サーバ３によりデータを加工して、端末へ提供すること等も可能である。データベースは、例えば、監視、制御対象機器の点検履歴のデータベース２ａ（以降、点検履歴ＤＢと呼ぶ。）、監視、制御対象機器の運転履歴のデータベース２ｂ（以降、運転履歴ＤＢと呼ぶ。）、監視、制御対象機器の図面やマニュアル等を有する図書の管理データベース２ｃ（以降、図書管理ＤＢと呼ぶ。）等、プラントの運転支援のために用いる情報等から構築されるものである。
【００２３】
具体的には、点検履歴ＤＢ２ａは、各機器の点検時の記録情報から構成されるものであり、運転履歴ＤＢ２ｂは、ネットワーク１を介して収集された各機器の運転時の動作情報から構成されるものである。
【００２４】
通常、プラントの運転時の取扱説明書として、各機器に対応する文書、図面等４ａ、４ｂ、４ｃ（以降、図書と呼ぶ。）等をまとめて、１つの完成図書４が作成される。しかし、本発明に係るプラント運転支援装置では、図書管理ＤＢ２ｃを構成するために、図書４ａ、４ｂ、４ｃ等を電子ファイル化すると共に、図書４ａ、４ｂ、４ｃ等に記載された機器コード５ａ、５ｂ、５ｃ等に基づき、機器コード５ａ、５ｂ、５ｃ等と電子ファイル化された図書４ａ、４ｂ、４ｃ等とを対応づける図書管理データ６を作成し、図書管理ＤＢ２ｃとなるこれらの情報を、例えば、ＣＤ−ＲＯＭ７等に記録する。そして、ＣＤ−ＲＯＭ７等に記録された図書管理ＤＢ２ｃとなる情報を、サーバ３を介して、記憶装置２内部に記録することで、図書管理ＤＢ２ｃのデータベースを構築する。
【００２５】
この図書管理ＤＢ２ｃは、必要に応じて、記憶装置２から呼び出されて、ネットワーク１に接続された端末の画面上に表示される。例えば、機器コード５ａ、５ｂ、５ｃ等を後述するＲＦタグ３６（図３参照）内の情報として用い、各機器のＲＦタグ３６の情報を読み取ることで、図書管理ＤＢ２ｃ内の各機器に関連する文書、図面等を端末上で表示することが可能となる。
【００２６】
なお、図書４ａ、４ｂ、４ｃ等を電子ファイル化する際には、ＨＴＭＬ形式等の標準的な形式で電子ファイル化すれば、特定の端末を使用することなく、市販されているコンピュータ等を用いて、画面上に表示することができる。又、異なる図書同士であっても、関連する項目等がある場合には、互いにリンクするように構成し、例えば、電子ファイル化された図書４ａを表示しているときでも、そのリンク箇所を操作することで、即座に異なる図書４ｃを表示することが可能となる。
【００２７】
プラント運転支援装置は、多種かつ多数の機器を監視、制御するための多様な支援機能を提供できるように構成されており、各々の支援機能を提供する操作画面が何層もの階層メニューで構成されている。本発明に係るプラント運転支援装置では、例えば、河川管理施設の支援機能８として、対象河川全体を監視する広域監視機能、排水機場を監視する機場監視機能、河川の樋門を監視する樋門監視機能、各機器、各計測器の時間変位を表示するトレンド監視機能、各機器の図書を管理する図書管理機能、各機器の点検記録を管理する点検管理機能、各機器の運転履歴を管理する機歴管理機能、各機器を記録する台帳を管理する機器台帳管理機能、各機器の故障診断を行う故障診断機能等があり、これらの下層側に、更に、何層にも渡って、操作画面が構成されている。従って、所望の操作画面を表示するためには、階層メニューのトップメニュー画面から、何層もの画面を切り替えて表示する必要がある。通常、上記階層メニューの構成では、操作頻度の多い操作画面でも、操作頻度の少ない操作画面でも、同じ階層に配置されていれば、同じ操作を要求されることとなる。
【００２８】
そこで、本発明に係るプラント運転支援装置では、サーバ３に、操作頻度の高い任意の操作画面をオペレータや作業者がメニューに登録することができるメニュー登録編集手段９を設け、登録された操作画面を、階層メニューを用いることなく、直接表示できるようにしている。従って、オペレータが必要とする操作画面を容易に表示することができ、その操作性を向上させることができる。
【００２９】
又、更に、サーバ３に、オペレータや作業者毎（ユーザ毎）の操作画面の使用履歴を学習する使用履歴学習手段１０を設け、使用頻度の高い操作画面を選択しやすい位置（例えば、メニューの上位等）に配置し、階層メニューを用いることなく、直接表示できるようにしている。従って、オペレータが必要とする操作画面を容易に表示することができ、その操作性を更に向上させることができる。
【実施例２】
【００３０】
図２は、本発明に係るプラント運転支援装置の実施形態の他の一例を示す図である。
なお、本実施例において、実施例１と同等の構成のものには同じ符号を付し、重複する説明は省略する。
【００３１】
本実施例のプラント運転支援装置は、図１に示したネットワーク１上に、更に、ネットワーク１に接続され、サーバ３を介して呼び出した種々の情報を複数の画面に表示可能なマルチディスプレイ１１（端末）と、マルチディスプレイ１１に接続され、ＲＦタグ１２（情報タグ）からの情報を、ＲＦＩＤ技術を用いて非接触の無線通信により読み取るリーダ装置１３（アクセス装置）と、複数のＲＦタグ１２（ＲＦタグ１２ａ、１２ｂ、・・・）が所定箇所に埋め込まれたプラントのマニュアル１４（説明書）とを有するものである。
【００３２】
ここで、ＲＦＩＤ技術を説明すると、非接触で半導体メモリのデータの読み出し、書き込みを行うために、誘導電磁界又は電波によって、近距離通信を行う技術である。本実施例では、ＲＦタグ１２内の半導体メモリの情報をリーダ装置１３により読み取るように構成されている。
【００３３】
本実施例では、マニュアル１４中に記載された操作画面の解説の所定箇所に埋め込まれたＲＦタグ１２を、ペン型のリーダ装置１３を用いてなぞることで、ＲＦタグ１２内に記録された操作画面の情報がリーダ装置１３に読み取られ、リーダ装置１３が接続されたマルチディスプレイ１１に、ＲＦタグ１２内の情報に応じた操作画面を直接表示することができる。つまり、マニュアル１４に記載された操作画面の該当項目が、ＲＦタグ１２を読み取ることで、マルチディスプレイ１１の画面上にも連動して表示することができ、プラント運転支援装置の操作を容易に行うことができる。特に、マニュアル１４を簡易型のものにすれば、初心者のオペレータにとっても、容易なものとなる。
【００３４】
例えば、プラント運転支援装置が監視、制御の支援を行う河川管理施設の１つとして、河川の複数の箇所に設けられた樋門１５と（地図Ａ参照）、樋門１５の内外の水位を監視する監視カメラとなるＣＣＴＶ１６とがある。これらの樋門１５、ＣＣＴＶ１６等もネットワーク１に接続されており、サーバ３を介して樋門１５の開閉の制御を行うと共に、ＣＣＴＶ１６を用いて、内外の水位をリアルタイムで監視することができる。その際に、マニュアル１４があれば、初心者のオペレータであっても、マニュアル１４に記載された樋門１５の操作画面を呼び出すＲＦタグ１２ｂをなぞるだけで、該当操作画面をマルチディスプレイ１１に呼び出すことができる。又、地図Ａのような広域の監視画面を表示したい場合には、ネットワーク１に接続された大画面の表示装置１７を用いて、多数の樋門１５を同時に監視、制御するようにしてもよい。
【００３５】
なお、本実施例では、情報タグとしてＲＦタグ１２を、アクセス装置としてリーダ装置１３を用いたが、本発明では他の構成のものも用いることが可能であり、例えば、情報タグとして、１次元又は２次元のコードを用い、アクセス装置として、１次元又は２次元のコードを読み取るコードリーダ装置を用いてもよい。１次元のコードは、所謂、バーコードと呼ばれるものである。
【実施例３】
【００３６】
図３は、本発明に係るプラント運転支援装置の実施形態の更なる他の一例を示す図である。
なお、本実施例においても、実施例１と同等の構成のものには同じ符号を付し、重複する説明は省略する。
【００３７】
本実施例のプラント運転支援装置は、図１に示したネットワーク１上に、更に、ネットワーク１に接続された無線式のアクセスポイント２１と、アクセスポイント２１と交信可能な携帯端末２２（例えば、可搬性のあるノート型コンピュータ等）と、携帯端末２２に接続され、ＲＦタグ３６（ＲＦタグ３６ａ、３６ｂ、・・・）の情報をＲＦＩＤ技術により読み取り及び書き込み可能なリーダライタ装置２３（アクセス装置）とを有するものである。なお、アクセスポイント２１は、無線式のものに限らず、有線式のアクセスポイントを用いてもよく、例えば、作業現場となる排水機場２４近辺に、ネットワーク１に接続するアクセスポイント用の情報コンセントを設けるようにしてもよい。又、携帯端末２２が有するリーダライタ装置２３は、ＲＦタグ３６の読み取りだけでなく、ＲＦタグ３６への書き込みも可能であるため、新たな情報、例えば、機器の設定変更情報等をＲＦタグ３６内に残しておくことも可能である。
【００３８】
プラント運転支援装置が監視、制御の支援を行う河川管理施設の１つとして、排水機場２４が有り、排水機場２４では、排水を行うためのポンプ３１、ポンプ３１を駆動させるエンジン３２及び減速機３３、水位を測定する水位計３４が設けられており、これらの機器が機側盤３５により直接制御される。ポンプ３１等の機器は機側盤３５を介してネットワーク１に接続されており、サーバ３を介して、ポンプ３１により排水の制御を行うと共に、水位計３４により水位をリアルタイムで監視することができる。
【００３９】
携帯端末２２は、遠隔操作を行うことも可能ではあるが、主に、作業現場にて、監視、制御機器の管理や保守作業を行うために用いられる。具体的には、ポンプ３１、エンジン３２、減速機３３、水位計３４、機側盤３５等には、各機器の機器コード情報を有するＲＦタグ３６（ＲＦタグ３６ａ、３６ｂ、・・・）が貼付されており、各機器に携帯端末２２を近接させるだけで、リーダライタ装置２３により対象機器のＲＦタグ３６の機器コード情報を読み取り、読み取ったＲＦタグ３６の機器コード情報に応じて、対象機器に関連する情報を携帯端末２２の画面上に表示して、作業現場での機器の管理や保守作業を行う。
【００４０】
対象機器に関連する情報としては、例えば、機器コードに対応する機器の点検データ４１ａ、機器コードに対応する機器の動作傾向データ４１ｂ、機器コードに対応する機器の履歴データ４１ｃ、機器コードに対応する機器の関連図書データ４１ｄ等が表示される。これらの情報は、記憶装置２に記録されたデータベースからの情報であり、サーバ３によりネットワーク１を介して携帯端末２２の画面上に表示可能とすることで、謂わば、携帯端末２２が、図書管理機能、機器履歴機能、故障診断機等の運転支援機能を備えた状態となる。従って、作業現場において、運転支援装置が提供する機器の操作方法等が容易に検索、参照でき、各機器の点検結果、故障履歴が正確かつ容易に管理でき、又、故障診断結果を容易に確認することができ、プラントの信頼性向上を図ることができる。
【００４１】
特に、排水機場の機器は、洪水等の非常時に用いるものであるため、使用頻度が低く、オペレータや作業者がその操作に習熟するのは難しい。そこで、非常時においても確実な排水操作をするため、上述した運転支援が必要となる。又、排水機場では、手動で開閉を行う水門など、機器によっては、ネットワーク１に接続できず、その状態の監視やその動作の制御が、ネットワーク１を介して行えないものもある。このような場合、作業員が現場へ行き、携帯端末２２により、機器の機器コードと共に機器の設定（例えば、水門の開閉量）をＲＦタグ３６から読み込むことで、ネットワーク１、サーバ３を介して、記憶装置２に機器の状態を更新でき、又、機器の設定を変更した場合、設定変更の情報を記憶装置２に記録すると共に、ＲＦタグ３６内にも設定変更の情報を記録することで、設定変更の情報把握を確実にすることができる。又、保守や修理作業を行う場合にも、携帯端末２２を用い、機器履歴機能、故障診断機能、図書管理機能等を利用することで、作業等に習熟していなくても、確実な作業が可能となり、プラント運用の信頼性を向上させることが可能である。
【００４２】
なお、機器履歴機能は、サーバ３により、各機器の履歴を記憶装置２に記録すると共に、必要に応じて、その履歴を携帯端末２２等の端末に表示して、作業者等の支援を行うものである。又、故障診断機能は、プラントの故障時に、例えば、故障木データや系統図データ等を用いて、サーバ３が機器の診断経緯や故障箇所を携帯端末２２等の端末に表示して、作業者等の修理作業を支援するものである。
【００４３】
本実施例でも、情報タグ、アクセス装置として、１次元又は２次元のコード、コードリーダ装置等を用いることが可能である。但し、この場合、ＲＦタグのように容易に内容の書き換えができないため、新たな情報を追加する場合には、コード自体を新たに作成し直して、情報の追加を行う。
【図面の簡単な説明】
【００４４】
【図１】本発明に係るプラント運転支援装置の実施形態の一例を示す図である。
【図２】本発明に係るプラント運転支援装置の実施形態の他の一例を示す図である。
【図３】本発明に係るプラント運転支援装置の実施形態の更なる他の一例を示す図である。
【符号の説明】
【００４５】
１    ネットワーク
２    記憶装置
３    サーバ
９    メニュー登録編集手段
１０  使用履歴学習手段
１１  マルチディスプレイ
１２ａ〜１２ｅ  ＲＦタグ
１３  リーダ装置
１４  マニュアル
２１  アクセスポイント
２２  携帯端末
２３  リーダライタ装置
３６ａ〜３６ｅ  ＲＦタグ
【図１】
2005301546.tif 000003
【図２】
2005301546.tif 000004
【図３】
2005301546.tif 000005